(57)【要約】【課題】  天井面等の設置面にあっても押しボタンが押しやすい火災警報器を得る。【解決手段】  円形状の筐体の中央に円筒状の検出部が形成される火災警報器であって、該検出部近傍から前記筐体外周近傍にかかる大きさの押しボタンを有するものである。このような大きさの押しボタンに形成したので、火災警報器が天井等の設置面にあっても、押しボタンが大きいので操作しやすく、目標を定める必要がない高齢者でも押しやすい押しボタンとすることができる。【選択図】  図１
2006048449.tif 000002
【特許請求の範囲】
【請求項１】
円形状の筐体の中央に円筒状の検出部が形成される火災警報器であって、該検出部近傍から前記筐体外周近傍にかかる大きさの押しボタンを有することを特徴とする火災警報器。
【請求項２】
押しボタンの形状が、検出部外周に沿う辺と本体外周に沿う辺とによる略四角形状から、前記検出部外周に沿う辺の両端角部を切り欠く略六角形状に形成されている請求項１の火災警報器。
【請求項３】
検出部外周に沿う辺の両端角部を切り欠いて形成された２辺に沿って、前記検出部から放射状にフィンが形成されている請求項２の火災警報器。
【発明の詳細な説明】
【技術分野】
【０００１】
この発明は、火災警報器に関する。
【背景技術】
【０００２】
従来から、火災に基づく煙や熱等を検出して警報音を鳴動する火災警報器が利用されており、とくに戸建の住宅に適している。このような火災警報器では、警報音が発せられて火災の有無が確認された後にその警報音を停止できるように、音響停止用の押しボタンが設けられている（特許文献１参照）。この押しボタンは、警報音が鳴動していない通常監視状態では試験用の押しボタンとして機能し、音響停止用と兼用されている。
【特許文献１】特開２００４−１４５７５７号公報
【発明の開示】
【発明が解決しようとする課題】
【０００３】
火災警報器に設けられる押しボタンとしては、その表面に小さな円形の押しボタンが配置されるのが通常である。警報器が天井面等の高所に設けられると、従来の押しボタンでは、正確に押すには小さいことから、大きく押しやすくすることが要望される。
【０００４】
したがって、この発明では、天井面等の設置面にあっても押しボタンが押しやすい火災警報器を得ることを目的としている。
【課題を解決するための手段】
【０００５】
この発明の請求項１に係る火災警報器は、円形状の筐体の中央に円筒状の検出部が形成される火災警報器であって、該検出部近傍から前記筐体外周近傍にかかる大きさの押しボタンを有することを特徴とするものである。
【０００６】
また、この発明の請求項２に係る火災警報器は、押しボタンの形状が、検出部外周に沿う辺と本体外周に沿う辺とによる略四角形状から、前記検出部外周に沿う辺の両端角部を切り欠く略六角形状に形成されているものである。
【０００７】
また、この発明の請求項３に係る火災警報器は、検出部外周に沿う辺の両端角部を切り欠いて形成された２辺に沿って、前記検出部から放射状にフィンが形成されているものである。
【発明の効果】
【０００８】
請求項１に係る火災警報器は、検出部から筐体外周にかかる大きさの押しボタンを有するので、設置面にあっても、押しボタンが大きいので操作しやすく、高齢者でも押しやすい押しボタンとすることができる。
【０００９】
また、請求項２に係る火災警報器は、検出部外周に沿う辺の両端角部を切り欠く略六角形状に形成されているので、略四角形状にするときに筐体表面の検出部の配置や検出部から放射状に形成されるフィンの位置に影響を与えず、かつ、検出部を中心とした略扇型状にして裾部分を押すときのたわみによる不動作を防止して、どこを押しても確実に動作させることができる。
【００１０】
また、請求項３に係る火災警報器は、押しボタンが配置される開口部分をフィンによって補強することができ、押しボタンを大きくしても、筐体の強度が低下することがない。
【発明を実施するための最良の形態】
【００１１】
図１から図４は、この発明を利用する一実施形態としての火災警報器の外観を示す正面図、平面図、側面図および底面図である。
【００１２】
図において、火災警報器の筐体は、基台２とカバー部材３とから構成され、その表面となるカバー部材３の中央部分に円筒状の検出部４が形成されているとともに、火災警報を発するための音響口５と、音響停止兼試験用スイッチとしての押しボタン６とが形成されている。
【００１３】
基台２は、筐体としての設置機構が形成され、天井面等の設置面にねじ止め等によって固定されるベース部材２１が、詳細に説明しないが、着脱自在に嵌合されている。
【００１４】
カバー部材３は、筐体として火災を検出するための構造や操作部（さらには表示部）としての機構が形成され、基台２に装着されて、外周部分から中央に向けて盛り上がるように、テーパを有する表面に形成されている。
【００１５】
検出部４は、その円筒状の外周部分に流入口４１が形成され、図示しないが、その内部にラビリンス構造を備えた暗箱が配置され、発光素子および受光素子を利用して流入してくる煙を検出できるようにされている。
【００１６】
また、検出部４の外周には、カバー部材３の開口の支柱であって、放射状に６個のフィン３１が形成されていて、検出部４やカバー部材３に強度を持たせている。
【００１７】
音響口５は、筐体内の該当する位置に図示しないスピーカが配置され、そのスピーカからの警報音等を外部に放出するための複数の線状の孔が組合されている。この音響口５の形状は、スピーカ等の音響部材の音が放出できれば良く、小さな円形や網状等その他の形状であっても良い。
【００１８】
押しボタン６は、その背面に図示しないスイッチ素子が配置され、押しボタン６が押されるときにそのスイッチ素子がオンすることによって、図示しないマイコン等の制御部に入力の有無を認識させる操作部となっている。
【００１９】
つぎに、この実施形態の火災警報器における押しボタン６について詳細に説明する。
【００２０】
押しボタン６の形状は、図１に示されるように、検出部４の近傍から筐体を構成するカバー部材３の外周近傍にかかる大きさとして、検出部４の外周に沿った曲線状の辺６１と、カバー部材３の外周に沿った曲線状の辺６２と、略四角形状を形成するような図面上左右方向の辺６３、６４と、その略四角形状の図面上上側の両角（辺６１の両端角部）を切り欠くように形成された辺６５、６６とによって略六角形状に形成されている。
【００２１】
このように、筐体中央の検出部４からカバー部材３の外周にわたる大きさに形成されているので、１本の指の指先で押すという操作でなく、指の２、３本で押しても押せる大きさとすることができ、また、目標を詳細に定める必要がなく、高齢者のような指先が器用でない利用者にも操作しやすくなっている。
【００２２】
この押しボタン６には、筐体に固定されて押しボタン６の支点Ｓ１、Ｓ２が設けられる固定部６７が一体成形されていて、各支点Ｓ１、Ｓ２において固定されることによって、押しボタン６のどの位置を押圧しても図示しないスイッチ素子をオンさせることができるようになっている。
【００２３】
すなわち、押しボタン６の辺６５、６６の検出部４側や辺６３、６４の外周側を押圧しても、押しボタン６全体が動くので、図示しないスイッチ素子をオンできる。もし、この押しボタン６の形状が、辺６５、６６を延長した略扇型状に形成されたとすると、その延長上の両端部分で押圧するときに、たわみによりスイッチ素子をオンし辛くなってしまうが、この押しボタン６の形状ではその不具合はない。
【００２４】
また、押しボタン６の辺６５、６６に沿って、円筒状の検出部４からカバー部材３の表面に形成されたフィン３１ａ、３１ｂが配置されている。押しボタン６を利用するため、カバー部材３の該当位置には大きな開口が設けられることとなるが、このフィン３１ａ、３１ｂによってカバー部材３には十分な強度を持たせることができる。
【００２５】
そして、押しボタン６の形状を、辺６３、６４を延長して、略四角形状に形成しようとすると、フィン３１ａ、３１ｂを省くあるいはずらす等の設計変更が必要となるとともに、ずらした位置のフィンでは、カバー部材３の開口を保護できなくなってしまう。その場合には、押しボタン６の押圧操作ミスでカバー部材３を押してしまって、開口部分の周囲を破損することが起こってしまう。
【００２６】
また、押しボタン６には、基台２に連通する貫通孔７１が形成されている。この貫通孔７１は、押しボタン６の表面側から紐のような線状体を通し、基台２の背面側かつベース部材２１の脇に引出すことができる。結び目等によって線状体の端部を押しボタン６の表面側に係止することによって、この図示しない線状体を引き、押しボタン６を押圧方向に移動させることができる。
【００２７】
この図示しない線状体を引出しておくことによって、天井等の高所の設置面に設けられる火災警報器の筐体表面に設けられている押しボタン６を押し上げるように押圧操作しなくとも、その図示しない線状体を引き下げるように操作することができ、入力操作が容易となる。
【００２８】
なお、この図示しない線状体は、外部から挿入できる貫通孔７１に形成されているので、火災警報器の筐体を設置面から取り外さなくとも、図示しない線状体の交換作業が可能である。
【００２９】
このように形成された火災警報器の動作について簡単に説明する。
【００３０】
住宅の天井等に設置された火災警報器は、監視区域としての部屋で火災が発生すると、その火災に基づき煙が発生し、火災警報器の検出部４の流入口４１にその煙が進入して火災警報器が火災の発生を検出する。
【００３１】
火災発生を検出した火災警報器は、火災警報として、音響口５を介して図示しないスピーカから「ピンポン、ピンポン、火事です、火事です」のような音声による警報音を鳴動する。この警報音は火災警報器が火災発生を検出している間、鳴動する。
【００３２】
この警報音を聞いた居住者等の利用者は、現場を確認して火災が発生している場合には、必要な初期消火活動や避難等を行い、誤報や消火活動により鎮火した場合には、警報音を停止させるため、押しボタン６を押圧操作する。
【００３３】
この押しボタン６の押圧操作を図示しないスイッチ素子によって認識すると、火災警報器は、図示しないスピーカからの警報音を停止する。なお、この押しボタン６の操作があっても、火災警報器が火災発生を検出している間は火災警報を行う必要があり、そのため、警報音の停止操作から所定時間、例えば５分間は警報音を停止するが、その経過後にも火災検出が継続している場合、再び火災警報が発せられる。
【００３４】
また、火災警報器の通常監視状態、すなわち火災警報を行っていない状態で、押しボタン６の押圧操作を行うと、火災警報器は上記のような音声による警報音を図示しないスピーカから発生して、火災警報器が正常に監視していることを表す。これによって、火災警報器が正常監視していることを確認でき、無音の場合は故障であり、試験動作となる。
【００３５】
なお、このときに、詳細に示さない機能確認動作に基づいて機能異常を生じている場合には、「警報器を交換して下さい」のような異常の音声を発声させることによって、故障を表すことができる。機能確認動作は種々ある中から選択することができ、必要に応じて設定されれば良い。
【００３６】
以上のように、この実施形態における火災警報器は、基台２およびカバー部材３による円形状の筐体の中央に円筒状の検出部４が形成され、検出部４近傍から筐体外周近傍にかかる大きさの押しボタン６を有するものである。そのため、設置面にあっても、押しボタン６が大きいので操作しやすく、高齢者でも押しやすい押しボタン６となっている。
【００３７】
また、この火災警報器は、押しボタン６の形状が、検出部４外周に沿う辺６１と本体外周に沿う辺６２とによる略四角形状から、検出部４外周に沿う辺６１の両端角部を切り欠く略六角形状に形成されている。この形状によって、略四角形状にするときに筐体表面の検出部４の配置や検出部４から放射状に形成されるフィン３１の位置に影響を与えず、かつ、検出部４を中心とした略扇型状にして裾部分を押すときにたわみによる不動作を防止して、どこを押しても確実に動作させることができる。
【００３８】
また、この火災警報器は、検出部４外周に沿う辺６１の両端角部を切り欠いて形成された辺６５、６６に沿って、検出部４から放射状にフィン３１ａ、３１ｂが形成されている。このフィン３１ａ、３１ｂによって、押しボタンが配置される開口部分を補強することができ、押しボタン６を大きくしても、筐体の強度が低下することがない。
【００３９】
この実施形態において、煙を検出して火災警報を発生する火災警報器として説明したが、サーミスタ等を利用して、火災に基づく現象として熱を検出する火災警報器であっても良く、その他、赤外線等による炎、ＣＯや焦げ臭等の燃焼生成物などを検出するものであってもよい。
【図面の簡単な説明】
【００４０】
【図１】この発明の一実施形態を示す火災警報器の正面図。
【図２】図１の側面図。
【図３】図１の平面図。
【図４】図１の底面図。
【符号の説明】
【００４１】
２    基台
３    カバー部材
４    検出部
６    押しボタン
【図１】
2006048449.tif 000003
【図２】
2006048449.tif 000004
【図３】
2006048449.tif 000005
【図４】
2006048449.tif 000006